(57)【要約】【課題】本発明は、タブレット型コンピュータとしての形態で利用する場合に人体とアンテナとの間に一定以上の距離を保つことが可能な情報処理装置を提供する。【解決手段】情報処理装置１は、本体２と表示パネル３とヒンジ機構４とアンテナ６とを備える。ヒンジ機構４は、本体２と表示パネル３とを連結する。このヒンジ機構４は、第１の状態Ｐ１から第２の状態Ｐ２に表示パネル３を反転可能に支持する。第１の状態Ｐ１は、表示面３１ａを入力装置５に向けて表示パネル３を本体２に重ねた状態である。第２の状態Ｐ２は、表示面３１ａを入力装置５に背を向けて表示パネル３を本体２に重ねた状態である。アンテナ６は、第２の状態Ｐ２で、表示パネル３の外周縁３aにおいて本体２の外周縁２ａよりも内側となる位置に内蔵する。【選択図】      図４
2008158771.tif 000002
【特許請求の範囲】
【請求項１】
上部に入力装置が配置された本体と、
表示面を有する表示パネルと、
前記本体と前記表示パネルとを連結するヒンジ機構であって、前記表示面を前記入力装置に向けて前記表示パネルを前記本体に重ねた第１の状態から前記表示面を前記入力装置に背を向けて前記表示パネルを前記本体に重ねた第２の状態に前記表示パネルを反転可能に支持するヒンジ機構と、
前記第２の状態で、前記表示パネルの外周縁において前記本体の外周縁よりも内側となる位置に内蔵されるアンテナと
を備えることを特徴とする情報処理装置。
【請求項２】
前記ヒンジ機構は、
前記本体に対して前記表示パネルを重ね合わせた位置から前記本体に対して前記表示パネルを立て起こした位置まで回動可能に保持する回動軸と、
前記本体に対して前記表示パネルを立て起こした状態で前記表示面を前記入力装置に向けた位置から前記入力装置に背を向けた位置まで旋回可能に支持する旋回軸と
を備えることを特徴とする請求項１に記載の情報処理装置。
【請求項３】
前記旋回軸の軸心は、前記回動軸に沿って前記表示パネルの中心から偏心させて配置され、
前記アンテナは、前記旋回軸の軸心が偏った側の表示パネルの外周縁に内蔵される
ことを特徴とする請求項２に記載の情報処理装置。
【請求項４】
前記回動軸の軸心は、前記旋回軸の軸心に対して立体交差するオフセットされた位置関係に配置され、前記第１の状態で前記旋回軸の軸心に対して前記入力装置側に位置し、前記第２の状態で前記旋回軸の軸心に対して前記入力装置側と反対側に位置し、
前記アンテナは、前記表示パネルの外周縁において前記回動軸が配置された側と反対側に内蔵される
ことを特徴とする請求項２に記載の情報処理装置。
【発明の詳細な説明】
【技術分野】
【０００１】
本発明は、本体に対して表示面を伏せた上体と仰向けにして重ねた状態とに表示パネルを反転できるヒンジ機構を備える電子機器に関する。
【背景技術】
【０００２】
本体に対して表示パネルを１８０°回転させることができる携帯型の情報処理装置がある（特許文献１）。この情報処理装置は、ノートブック型コンピュータとして使用されるとともに、表示パネルの表示面を仰向けにして本体に重ね合わせて表示面から直接入力操作が行われるタブレット型コンピュータとしても利用できる。タブレット型コンピュータの場合、表示パネルにはデジタイザやタッチパネルが搭載されており、入力は、もっぱら表示面から直接行われるようになる。
【０００３】
また、特許文献２に開示されたタブレット型コンピュータは、表示パネルから入力操作が行われるように構成されている。このタブレット型コンピュータにおいてキーボードによる入力操作を行う場合、キーボードを備える機能拡張ボードと連結される。また、タブレット型コンピュータおよび機能拡張ボードは、それぞれ赤外線送受信機または電磁波送受信機を備え、連結させない場合でも、互いに通信する。
【特許文献１】特開２００４−１５７７１２号公報
【特許文献２】実用新案登録第３０９２８４７号公報
【発明の開示】
【発明が解決しようとする課題】
【０００４】
特許文献１の場合でも、特許文献２の場合でも、タブレット型コンピュータの形態として使用される場合、利用者は、一方の腕で情報処理装置を抱え、他方の手で入力操作を行う。このような状況において、情報処理装置と周辺機器との間で情報を無線で通信させる場合、指向性のある赤外線よりも電磁波を利用することが望ましい。
【０００５】
ところが、電磁波を通信手段として利用する場合、各国で定められた安全基準があるので、これを満足するため人体とアンテナとの間に一定以上の距離が保たれるようアンテナの配置を考慮しなければならない。タブレット型コンピュータとして利用されている場合、情報処理装置を体から離して持つと当然重く感じるので、利用者は、情報処理装置をなるべく体に引き寄せて抱えることになる。この場合、表示画面を縦長にして抱えるか横長にして抱えるか、利用状況によって体とアンテナとの距離が異なる。
【０００６】
そこで、本発明は、タブレット型コンピュータとしての形態で利用する場合に人体とアンテナとの間に一定以上の距離を保つことの可能な情報処理装置を提供する。
【課題を解決するための手段】
【０００７】
本発明に係る一形態の情報処理装置は、本体と表示パネルとヒンジ機構とアンテナとを備える。本体は、上部に入力装置が配置される。表示パネルは、表示面を有する。ヒンジ機構は、本体と表示パネルとを連結する。このヒンジ機構は、第１の状態から第２の状態に表示パネルを反転可能に支持する。第１の状態は、表示面を入力装置に向けて表示パネルを本体に重ねた状態である。第２の状態は、表示面を入力装置に背を向けて表示パネルを本体に重ねた状態である。アンテナは、第２の状態で、表示パネルの外周縁において本体の外周縁よりも内側となる位置に内蔵する。
【発明の効果】
【０００８】
本発明に係る情報処理装置によれば、タブレット型コンピュータとしての形態で利用する場合に人体とアンテナとの間に一定以上の距離を保つことの可能な情報処理装置を提供することができる。
【発明を実施するための最良の形態】
【０００９】
本発明に係る第１の実施形態の情報処理装置１について、ノートブック型のポータブルコンピュータを例に、図１から図７を参照して説明する。図１に示す情報処理装置１は、本体２と表示パネル３とヒンジ機構４とキーボード５とアンテナ６とを備える。本実施形態における説明の便宜上、卓上などに本体２を据えた状態で利用者側から見て、「右側」、「左側」、「手前側」、「奥側」、および鉛直方向に「上方」、「下方」をそれぞれ定義する。また、本体の手前側を「前」、奥側を「後」とする。
【００１０】
本体２は、外殻を構成するハウジング２０を有しており、ＣＰＵなどが実装された回路基盤や記憶媒体などを内蔵する。キーボード５は、入力装置の一例であり本体２の上部に配置されている。表示パネル３は、液晶ディスプレイ３１、デジタイザ３２およびアンテナ６を少なくとも内蔵する。液晶ディスプレイ３１は、表示装置の一例であり、表示面３１ａを表示パネルの一方の面に覗かせている。液晶ディスプレイ３１は、プラズマディスプレイ、有機エレクトロルミネッセンス、表面伝導型電子放出ディスプレイなどであっても良い。
【００１１】
デジタイザ３２は、液晶ディスプレイ３１の表示面３１ａに対して裏面側に配置されている。液晶ディスプレイ３１の表示面３１ａに表示される画像に関連付けて入力操作を行える入力手段の一例である。デジタイザ３２の代わりにタッチパネルを液晶ディスプレイ３１の表示面３１ａに積層しても良い。
【００１２】
ヒンジ機構４は、回動軸４１と旋回軸４２とを備え、本体２と表示パネル３とを連結している。回動軸４１は、軸心Ａと同軸に配置されている。軸心Ａは、本体２に対して立て起こした状態の表示パネル３の下縁に沿って配置される。回動軸４１は、図２に示すように表示面３１ａを伏せて本体２の上に重ね合わせた第１の状態（閉じた状態）Ｐ１から、図１に示すように表示面３１ａをキーボード５に向けて本体２に対して立て起こした状態（正対姿勢Ｓ１）まで、軸心Ａを中心に表示パネル３を回動可能に支持する。また、回動軸４１は、立て起こした表示パネル３を、任意の回動角度においてその姿勢（開いた状態）に保持するための十分な回動摩擦抵抗を有している。
【００１３】
旋回軸４２は、軸心Ｂと同軸に配置されている。軸心Ｂは、図１に示すように、本体２の後部寄りで幅方向に右側に偏った位置に本体２に対して鉛直方向に配置され、軸心Ａと直角に交わる。旋回軸４２は、本体２に対して表示パネル３を立て起こした状態で、図１に示すように表示面３１ａをキーボード５に向けた正対姿勢Ｓ１から、図３に示すように表示面３１ａをキーボード５に対して背を向けた背向姿勢Ｓ２まで、表示パネル３を反転可能に支持する。
【００１４】
情報処理装置１は、図３に示した状態から回動軸４１を中心に回動させ表示パネル３を本体２の上に重ね合わせることによって、図４および図５に示すように表示面３１ａを上に向けて表示パネル３を本体２の上に重ね合わせた第２の状態Ｐ２となる。
【００１５】
このように、ヒンジ機構４は、回動軸４１と旋回軸４２とを備えることによって、この情報処理装置１の使用形態をノートブック型コンピュータかタブレット型コンピュータかに変化させる。ノートブック型コンピュータとしての使用形態とは、図１に示すように卓上などに置かれた本体２に対して表示パネル３が正対姿勢Ｓ１に立て起こされ、かつ、表示面３１ａがキーボード５側に面している状態である。ノートブック型コンピュータとしての使用形態における情報処理装置１への入力操作は、主にキーボード５で行われる。
【００１６】
タブレット型コンピュータとしての使用形態とは、表示面３１ａを本体２に対して反対に向けた、いわゆる「仰向け」にして、表示パネル３を本体２に重ね合わせた第２の状態Ｐ２である。情報処理装置１がタブレット型コンピュータとしての使用形態である場合、利用者は、情報処理装置１を卓上に置いた状態で、または、図６や図７に示すように情報処理装置１を一方の腕で抱え、他方の手に持った専用の入力ペンで表示面３１ａに表示された情報を基に直接的に入力する。
【００１７】
情報処理装置１の旋回軸４２の軸心Ｂは、回動軸４１に沿って表示パネル３の幅方向の中心から片側に、本実施形態では右に偏心させて配置されている。そのため、図１に示す正対姿勢Ｓ１から図３に示す背向姿勢Ｓ２へ表示パネル３を反転させると、旋回軸４２が偏っている分だけ図５に示すように表示パネル３が本体２に対して右側へずれる。旋回軸４２の偏心量は、アンテナ６が内蔵される表示パネル３の外周縁３ａが本体２の外周縁２ａに対して５〜１０ミリほど内側となる程度、したがって、２．５〜５ミリほどである。
【００１８】
表示パネル３を本体２に係留するラッチ機構のフック７は、旋回軸４２の延長上に配置されており、先端の向きを反転させることができる。したがって、第１の状態Ｐ１にしても第２の状態Ｐ２にしても本体２の係合穴８と結合される。
【００１９】
アンテナ６は、回動軸４１に沿って旋回軸４２が偏った側の表示パネル３の外周縁３ａ、ここでは表示面３１ａ側から見て右側の表示パネル３の外周縁３ａに内蔵されている。このアンテナ６は、表示パネル３から離れた位置にある周辺機器と電磁波で通信するために本体２に装備された通信装置に接続されている。なお、情報を通信する対象となる周辺機器は、プリンターやスキャナーのほか、他の情報処理装置やこれら周辺機器が接続されたネットワークなど、互いのプロトコルが対応するものは全て含まれる。
【００２０】
以上のように配置された情報処理装置１において、アンテナ６は、図４および図５に示すように、第２の状態Ｐ２で本体２の外周縁２ａよりも内側となる表示パネル３の外周縁３ａの一部に内蔵されている。
【００２１】
したがって、タブレット型コンピュータとしての使用形態にして情報処理装置１を右利きの者が利用する場合、図６に示すようにヒンジ機構４を左手で掴んで本体２の前側が体に当たるように抱えても、図７に示すように本体２の前側を左手で掴んで本体２の左側が体に当たるように抱えても、アンテナ６は、利用者の体から離れている。同様に、左利きの者が右手でヒンジ部を掴んで、本体２の前側が体に当たるように抱えても、本体２の左側が体に当たるように抱えても、アンテナ６は、利用者の体から離れている。
【００２２】
本発明に係る第２の実施形態の情報処理装置１について、図８から図１５を参照して説明する。第１の実施形態における情報処理装置１と同じ機能を有する構成は、同一の符号を付してその説明を省略する。
【００２３】
情報処理装置１の回動軸４１は、図９および図１２に示すように、旋回軸４２に対して立体交差するオフセットの関係に配置されている。回動軸４１の軸心Ａは、第１の状態Ｐ１で図９および図１２に示すように旋回軸４２の軸心Ｂに対してキーボード５側に位置し、第２の状態で図１１および図１５に示すように旋回軸４２の軸心Ｂに対してキーボード５側と反対側に位置する。
【００２４】
アンテナ６は、回動軸４１が配置される側と反対側の表示パネル３の外周縁３ａに内蔵されている。図９に示すように情報処理装置１が第１の状態で、表示パネル３の前側、右側、左側の外周縁３ａは、本体２の前側、右側、左側の外周縁２ａに揃っている。また、図１１に示すように情報処理装置１が第２の状態で、表示パネル３の右側、左側、後側（回動軸側）の外周縁３ａは、本体２の右側、左側、後側の外周縁２ａにそれぞれ揃っている。
【００２５】
この情報処理装置１の表示パネル３は、図１３に示す正対姿勢Ｓ１から図１４に示す背向姿勢Ｓ２に旋回させられても、図９および図１１を比較して分かるように本体２に対して左右にずれない。ノートブック型コンピュータとしての使用形態において、回動軸４１は、旋回軸４２よりも前側（利用者側）に配置されている。表示パネル３を本体２に重ね合わせた図１２に示す状態から本体２に対して立て起こした図８に示す状態に回動させる場合、図１３に示すように回動軸４１が前方にオフセットされている分だけ本体２が後方に長いので、回動軸４１に設定される回動摩擦抵抗によって本体２持ち上がってしまう回転モーメントを抑えることができる。
【００２６】
また、タブレット型コンピュータとしての使用形態において、回動軸４１は、図１４に示すように旋回軸４２よりも後方に配置される分だけ、表示パネル３の前側の外周縁３ａが図１５に示すように本体２の前側の外周縁２ａよりも後方に配置される。表示パネル３を本体２に重ね合わされた図１５に示す第２の状態Ｐ２から立て起こして図１０および図１４に示す背向姿勢Ｓ２に回動させる場合、本体２の前側の外周縁２ａを上から押さえつけることができるので、回動軸４１周りの回動摩擦抵抗によって本体２が浮き上がることを防止できる。
【００２７】
なお、本実施形態において、ラッチ機構は、本体２および表示パネル３の右側や左側の外周縁２ａ，３ａに、第１の状態Ｐ１と第２の状態Ｐ２とに反転される表示パネル３が本体２に対してずれる量を許容する幅を有した第１の実施形態と同様の反転式のフックにする。また、ラッチ機構を設ける代わりに、第１の状態Ｐ１および第２の状態Ｐ２の近傍において表示パネル３を本体２に押し当てる方向にトルクを発生させる、いわゆる引込みヒンジを適用しても良い。
【００２８】
以上のように構成された情報処理装置１は、アンテナ６は、図１１および図１５に示すように、第２の状態Ｐ２で本体２の外周縁２ａよりも内側となる表示パネル３の外周縁３ａの一部に内蔵されている。したがって、タブレット型コンピュータとしての使用形態において、利用者が抱え持った場合に本体２の外周縁２ａが体に当たってもアンテナ６は、体から離れている。
【図面の簡単な説明】
【００２９】
【図１】本発明に係る第１の実施形態の情報処理装置を示す斜視図。
【図２】図１に示した情報処理装置の第１の状態を示す斜視図。
【図３】図１に示した情報処理装置の表示パネルを背向姿勢にした状態の斜視図。
【図４】図１に示した情報処理装置の第２の状態の平面図。
【図５】図４に示した情報処理装置を前方から見た側面図。
【図６】図４に示した情報処理装置を抱えて使用する状態の斜視図。
【図７】図４に示した情報処理装置を抱えて使用する状態の斜視図。
【図８】本発明に係る第２の実施形態の情報処理装置を示す斜視図。
【図９】図８に示した情報処理装置の第１の状態の平面図。
【図１０】図８に示した情報処理装置の表示パネルを背向姿勢にした状態の斜視図。
【図１１】図８に示した情報処理装置の第２の状態の平面図。
【図１２】図９に示した情報処理装置の右側の側面図。
【図１３】図８に示した情報処理装置の旋回軸に沿う断面図。
【図１４】図１０に示した情報処理装置の旋回軸に沿う断面図。
【図１５】図１１に示した情報処理装置の右側の側面図。
【符号の説明】
【００３０】
１…情報処理装置、２…本体、２ａ…外周縁、３…表示パネル、３ａ…外周縁、４…ヒンジ機構、５…キーボード（入力装置）、６…アンテナ、３１ａ…表示面、４１…回動軸、４２…旋回軸、Ｐ１…第１の状態、Ｐ２…第２の状態、Ａ…（回動軸の）軸心、Ｂ…（旋回軸の）軸心。
【図１】
2008158771.tif 000003
【図２】
2008158771.tif 000004
【図３】
2008158771.tif 000005
【図４】
2008158771.tif 000006
【図５】
2008158771.tif 000007
【図６】
2008158771.tif 000008
【図７】
2008158771.tif 000009
【図８】
2008158771.tif 000010
【図９】
2008158771.tif 000011
【図１０】
2008158771.tif 000012
【図１１】
2008158771.tif 000013
【図１２】
2008158771.tif 000014
【図１３】
2008158771.tif 000015
【図１４】
2008158771.tif 000016
【図１５】
2008158771.tif 000017